(57)【要約】  本発明は非アクティブ状態における多重接続回復方法及びその装置を開示し、その方法は、端末が送信した接続回復要求を受信し、少なくとも１つのノードの構成及び／又は少なくとも１つのノードの測定報告を取得することと、少なくとも１つのノードの構成及び／又は少なくとも１つのノードの測定報告に基づき、少なくとも１つのノードにおける一部又は全部のノードを端末のセカンダリノードとして追加することと、含む。それにより、端末が非アクティブ状態に入った後、必要がある時に接続状態を早めに回復できることを実現でき、端末が関連サービスを迅速に回復できることを確保する。
2020532155.tif 000002
【特許請求の範囲】
【請求項１】
非アクティブ状態における多重接続回復方法であって、
端末が送信した接続回復要求を受信し、少なくとも１つのノードの構成及び／又は前記少なくとも１つのノードの測定報告を取得することと、
前記少なくとも１つのノードの構成及び／又は前記少なくとも１つのノードの測定報告に基づき、前記少なくとも１つのノードにおける一部又は全部のノードを前記端末のセカンダリノードとして追加することと、含むことを特徴とする非アクティブ状態における多重接続回復方法。
【請求項２】
さらに、前記端末が非アクティブ状態に入る時、前記端末に対応する少なくとも１つのノードの構成を保留することを含むことを特徴とする請求項１に記載の方法。
【請求項３】
さらに、前記端末のためにプライマリノードの構成及び／又はセカンダリノードの構成を構成することを含むことを特徴とする請求項２に記載の方法。
【請求項４】
前記プライマリノードがプライマリキャリア、プライマリセル、又は、プライマリ基地局を含み、
前記セカンダリノードがセカンダリキャリア、セカンダリセル、又は、セカンダリ基地局を含むことを特徴とする請求項３に記載の方法。
【請求項５】
前記ノードの構成がノード周波数、ノードＩＤ、測定構成のうちの少なくとも１つを含み、
前記測定報告が各ノードの基準信号受信パワー、基準信号受信品質、干渉信号強度及びローディング情報のうちの少なくとも１つを含むことを特徴とする請求項１に記載の方法。
【請求項６】
前記端末に対応する少なくとも１つのノードの構成を保留することは、
基地局側において前記端末に対応する少なくとも１つのノードの構成を保留することを含むことを特徴とする請求項２に記載の方法。
【請求項７】
前記端末に対応する少なくとも１つのノードの構成を保留することは、
前記端末に非アクティブ状態入り指示を送信し、前記指示は前記端末が前記少なくとも１つのノードの構成を保留するという指示を含むこと、を含むことを特徴とする請求項２に記載の方法。
【請求項８】
前記端末が前記少なくとも１つのノードの構成を保留する時、
前記端末が送信した接続回復要求を受信し、少なくとも１つのノードの構成及び／又は前記少なくとも１つのノードの測定報告を取得することは、
前記端末が送信した接続回復要求を受信し、前記接続回復要求を解析して前記少なくとも１つのノードの構成及び／又は対応する測定報告を取得することを含むことを特徴とする請求項１に記載の方法。
【請求項９】
前記基地局が前記少なくとも１つのノードの構成を保留し、
前記少なくとも１つのノードの構成及び／又は前記少なくとも１つのノードの測定報告に基づき、前記少なくとも１つのノードにおける一部又は全部のノードを前記端末のセカンダリノードとして追加することは、
前記基地局から前記少なくとも１つのノードの構成を取得し、前記少なくとも１つのノードの構成に基づいて一部又は全部のノードを前記端末のセカンダリノードとして追加すること、
又は、
前記端末が送信した接続回復要求を受信し、前記接続回復要求を解析して前記少なくとも１つのノード的構成に対応する測定報告を取得し、前記少なくとも１つのノードの構成に対応する測定報告に基づいて前記少なくとも１つのノードにおける一部又は全部のノードを前記端末のセカンダリノードとして追加すること、
又は、
前記基地局から前記少なくとも１つのノードの構成を取得し、前記端末が送信した接続回復要求を解析して前記少なくとも１つのノードの構成に対応する測定報告を取得すること、
前記少なくとも１つのノードの構成及び対応する測定報告に基づいて前記少なくとも１つのノードにおける一部又は全部のノードを前記端末のセカンダリノードとして追加すること、を含むことを特徴とする請求項１に記載の方法。
【請求項１０】
前記少なくとも１つのノードにおける一部又は全部のノードを前記端末のセカンダリノードとして追加することは、
プライマリノードが前記少なくとも１つのノードの構成に対応する測定報告を取得すると、前記端末のためにセカンダリノード接続を構成し、且つ対応するセカンダリノードに通知することを含むことを特徴とする請求項１に記載の方法。
【請求項１１】
前記少なくとも１つのノードにおける一部又は全部のノードを前記端末のセカンダリノードとして追加することは、
セカンダリノードが前記少なくとも１つのノードの構成に対応する測定報告を取得すると、前記端末との間のセカンダリノード接続を回復することを含むことを特徴とする請求項１に記載の方法。
【請求項１２】
非アクティブ状態における多重接続回復方法であって、
基地局に接続回復要求を送信することと、
前記基地局に基づいて少なくとも１つのノードから一部又は全部のノードを前記端末のセカンダリノードとして選択することと、を含むことを特徴とする非アクティブ状態における多重接続回復方法。
【請求項１３】
さらに、前記基地局に少なくとも１つのノードの構成及び／又は前記少なくとも１つのノードの測定報告を送信することを含むことを特徴とする請求項１２に記載の方法。
【請求項１４】
さらに、前記基地局が送信した非アクティブ状態入り指示を受信し、前記指示は前記端末が前記端末に対応する少なくとも１つのノードの構成を保留するという指示を含むことを含むことを特徴とする請求項１２に記載の方法。
【請求項１５】
さらに、前記基地局にセカンダリノード回復要求を送信し、前記要求が少なくとも１つのノードの構成及び／又は前記少なくとも１つのノードの測定報告を含むことと、
前記基地局が送信した前記端末のセカンダリノードの構成を受信することを特徴とする請求項１２に記載の方法。
【請求項１６】
基地局であって、
端末が送信した接続回復要求を受信するための第一受信モジュールと、
少なくとも１つのノードの構成及び／又は前記少なくとも１つのノードの測定報告を取得するための第一取得モジュールと、
前記少なくとも１つのノードの構成及び／又は前記少なくとも１つのノードの測定報告に基づき、前記少なくとも１つのノードにおける一部又は全部のノードを前記端末のセカンダリノードとして追加するための追加モジュールと、含むことを特徴とする基地局。
【請求項１７】
前記基地局はさらに、
前記端末が非アクティブ状態に入る時、前記端末に対応する少なくとも１つのノードの構成を保留するための第一保留モジュールを含むことを特徴とする請求項１６に記載の基地局。
【請求項１８】
さらに、前記端末のためにプライマリノードの構成及び／又はセカンダリノードの構成を構成するための構成モジュールを含むことを特徴とする請求項１７に記載の基地局。
【請求項１９】
前記プライマリノードがプライマリキャリア、プライマリセル、又は、プライマリ基地局を含み、
前記セカンダリノードがセカンダリキャリア、セカンダリセル、又は、セカンダリ基地局を含むことを特徴とする請求項１７に記載の基地局。
【請求項２０】
前記ノードの構成がノード周波数、ノードＩＤ、測定構成のうちの少なくとも１つを含み、
前記測定報告が各ノードの基準信号受信パワー、基準信号受信品質、干渉信号強度及びローディング情報のうちの少なくとも１つを含むことを特徴とする請求項１６に記載の基地局。
【請求項２１】
前記第一保留モジュールが、基地局側において前記端末に対応する少なくとも１つのノードの構成を保留することに用いられることを特徴とする請求項１７に記載の基地局。
【請求項２２】
さらに、前記端末に非アクティブ状態入り指示を送信し、前記指示は前記端末が前記少なくとも１つのノードの構成を保留するという指示を含むための第一送信モジュールを含むことを特徴とする請求項１７に記載の基地局。
【請求項２３】
前記端末が前記少なくとも１つのノードの構成を保留し、
前記第一取得モジュールが、受信された前記端末が送信した接続回復要求に基づき、前記接続回復要求を解析して前記少なくとも１つのノードの構成及び／又は対応する測定報告を取得することに用いられることを特徴とする請求項１６に記載の基地局。
【請求項２４】
前記基地局がいずれも前記少なくとも１つのノードの構成を保留し、
前記第一取得モジュールが前記基地局から前記少なくとも１つのノードの構成を取得することに用いられ、
前記追加モジュールが、前記少なくとも１つのノードの構成に基づいて一部又は全部のノードを前記端末のセカンダリノードとして追加することに用いられ、
又は、
前記第一受信モジュールが、前記端末が送信した接続回復要求を受信することに用いられ、
前記第一取得モジュールが、前記接続回復要求を解析して前記少なくとも１つのノード的構成に対応する測定報告を取得することに用いられ、
前記追加モジュールが、前記少なくとも１つのノードの構成に対応する測定報告に基づいて、前記少なくとも１つのノードにおける一部又は全部のノードを前記端末のセカンダリノードとして追加することに用いられ、
又は、
前記第一取得モジュールが、前記基地局から前記少なくとも１つのノードの構成を取得し、前記端末が送信した接続回復要求を解析して前記少なくとも１つのノードの構成に対応する測定報告を取得することに用いられ、
前記追加モジュールが、前記少なくとも１つのノードの構成及び対応する測定報告に基づいて、前記少なくとも１つのノードにおける一部又は全部のノードを前記端末のセカンダリノードとして追加することに用いられることを特徴とする請求項１６に記載の基地局。
【請求項２５】
前記追加モジュールはさらに、プライマリノードが前記少なくとも１つのノードの構成に対応する測定報告を取得する時、前記端末のためにセカンダリノード接続を構成し、且つ対応するセカンダリノードに通知することに用いられることを特徴とする請求項１６に記載の基地局。
【請求項２６】
前記追加モジュールはさらに、セカンダリノードが前記少なくとも１つのノードの構成に対応する測定報告を取得する時、前記端末との間のセカンダリノード接続を回復することに用いられることを特徴とする請求項１６に記載の基地局。
【請求項２７】
端末であって、
基地局に接続回復要求を送信するための第二送信モジュールと、
前記基地局に基づいて少なくとも１つのノードから一部又は全部のノードを前記端末のセカンダリノードとして選択するための処理モジュールと、を含むことを特徴とする端末。
【請求項２８】
前記第二送信モジュールがさらに、前記基地局に少なくとも１つのノードの構成及び／又は前記少なくとも１つのノードの測定報告を送信することに用いられることを特徴とする請求項２７に記載の端末。
【請求項２９】
さらに、前記基地局が送信した非アクティブ状態入り指示を受信することに用いられ、前記指示は前記端末が前記端末に対応する少なくとも１つのノードの構成を保留するという指示を含む第二受信モジュールを含むことを特徴とする請求項２７に記載の端末。
【請求項３０】
前記第二送信モジュールがさらに、前記基地局にセカンダリノード回復要求を送信することに用いられ、前記要求が少なくとも１つのノードの構成及び／又は前記少なくとも１つのノードの測定報告を含み、
第三受信モジュールが、前記基地局が送信した前記端末のセカンダリノードの構成を受信することに用いられることを特徴とする請求項２７に記載の端末。
【請求項３１】
コンピュータプログラムが記憶される非一時的コンピュータ読み取り可能な記憶媒体であって、
該コンピュータプログラムがプロセッサに実行される時に、請求項１〜１１のいずれか一項に記載の非アクティブ状態における多重接続回復方法を実現することを特徴とする非一時的コンピュータ読み取り可能な記憶媒体。
【請求項３２】
コンピュータプログラムが記憶される非一時的コンピュータ読み取り可能な記憶媒体であって、
該コンピュータプログラムがプロセッサに実行されると時に、請求項１２〜１５のいずれか一項に記載の非アクティブ状態における多重接続回復方法を実現することを特徴とする。
【発明の詳細な説明】
【技術分野】
【０００１】
本発明は移動通信技術分野に関し、特に非アクティブ状態における多重接続回復方法及びその装置に関する。
【背景技術】
【０００２】
従来、通信ネットワークにおいて、従来のＬＴＥ（Ｌｏｎｇ  Ｔｅｒｍ  Ｅｖｏｌｕｔｉｏｎ、ロングタームエボリューション）にサポートされるアイドル状態及び接続状態に追加し、導入新しい状態の非アクティブ状態が導入される。該状態の主な機能が端末にデータ伝送が存在していない時にできるだけ端末測定電力損失及びシグナリング切り替えオーバーヘッドを低減させ、また端末にデータ伝送が存在している時にリンク接続をできるだけ早めに回復できるものである。端末が非アクティブ状態にある時、モビリティ処理方式がアイドル状態と類似し、すなわちセル再選択基準を用いて移動する。
【０００３】
関連技術では、端末が接続状態にある時、ネットワークはネットワーク設定状況及び端末能力に応じて、端末のために２つのリンクひいては複数のリンクを構成して通信伝送を行う（すなわち多重接続状態）。しかし、端末が非アクティブ状態に入る必要がある時、複数のリンクがいずれも非アクティブ状態に入るべき、非アクティブ状態に入った後、ネットワークが端末のためにすべてのリンクの相関情報をリリースし、それにより端末が非アクティブ状態になるようにリリースする。
【０００４】
しかしながら、以上のように非アクティブ状態からアクティブ状態に変換した後、端末にサービスを正常に提供させるために、ネットワークがネットワーク設定状況及び端末能力に応じて端末のために接続状態を改めて構成する必要があり、該過程シグナリングプロセスが長く、端末には送信を必要とする大量のデータがあると、初期遅延が大きく、サービスを提供する効率が高くない。
【発明の概要】
【発明が解決しようとする課題】
【０００５】
本発明の実施例は非アクティブ状態における多重接続回復方法及びその装置を提供し、それにより、従来技術において、非アクティブ状態から接続状態へ回復する時、関連ノードの構成を生成し且つ送信するシグナリングプロセスが長く、端末には送信を必要とする大量のデータがあると、初期遅延が大きいという技術的問題を解決する。
【課題を解決するための手段】
【０００６】
本発明の実施例に係る非アクティブ状態における多重接続回復方法は、端末が送信した接続回復要求を受信し、少なくとも１つのノードの構成及び／又は前記少なくとも１つのノードの測定報告を取得することと、前記少なくとも１つのノードの構成及び／又は前記少なくとも１つのノードの測定報告に基づき、前記少なくとも１つのノードにおける一部又は全部のノードを前記端末のセカンダリノードとして追加することと、含む。
【０００７】
本発明の他の実施例に係る非アクティブ状態における多重接続回復方法は、基地局に接続回復要求を送信することと、前記基地局に基づいて少なくとも１つのノードから一部又は全部のノードを前記端末のセカンダリノードとして選択することと、含む。
【０００８】
本発明のさらに他の実施例に係る基地局は、端末が送信した接続回復要求を受信するための第一受信モジュールと、少なくとも１つのノードの構成及び／又は前記少なくとも１つのノードの測定報告を取得するための第一取得モジュールと、前記少なくとも１つのノードの構成及び／又は前記少なくとも１つのノードの測定報告に基づき、前記少なくとも１つのノードにおける一部又は全部のノードを前記端末のセカンダリノードとして追加する追加モジュールと、を含む。
【０００９】
本発明のさらに他の実施例に係る端末は、基地局に接続回復要求を送信するための第二送信モジュールと、前記基地局に基づいて少なくとも１つのノードから一部又は全部のノードを前記端末のセカンダリノードとして選択するための処理モジュールと、含む。
【００１０】
本発明のさらに他の実施例に係る非一時的コンピュータ読み取り可能な記憶媒体は、コンピュータプログラムを記憶しており、該コンピュータプログラムがプロセッサに実行される時に本発明の第一態様の実施例に記載の非アクティブ状態における多重接続回復方法を実現する。
【００１１】
本発明のさらに他の実施例に係る非一時的コンピュータ読み取り可能な記憶媒体は、コンピュータプログラムを記憶しており、該コンピュータプログラムがプロセッサに実行される時に本発明の第二態様の実施例に記載の非アクティブ状態における多重接続回復方法を実現する。
【発明の効果】
【００１２】
本発明の実施例に係る技術的解決手段は、
端末が非アクティブ状態に入った後、必要がある時に多重接続状態をできるだけ早めに回復でき、端末がサービスレベルに迅速に回復できることを確保することを実現するという有益な効果を含むことができる。
【００１３】
本発明に追加される態様及び利点は以下の説明において一部が示され、一部が以下の説明において明らかになり、又は本発明の実践により理解される。
【図面の簡単な説明】
【００１４】
本発明に記載され及び／又は追加される態様及び利点は以下では図面を参照する実施例の説明において明らかになり、理解やすくなる。
【００１５】
【図１（ａ）】図１（ａ）は本発明の一実施例に係る基地局及び端末が複数のノードの構成を行う通信過程模式図である。
【図１（ｂ）】図１（ｂ）は本発明の一実施例に係る端末が基地局に測定報告をフィードバックする通信過程模式図である。
【図２】図２は本発明の一実施例に係る非アクティブ状態における多重接続回復方法のフローチャートである。
【図３】図３は本発明の他の一実施例に係る非アクティブ状態における多重接続回復方法でフローチャートである。
【図４】図４は本発明の一実施例に係る基地局の構造ブロック図である。
【図５】図５は本発明の他の一実施例に係る基地局の構造ブロック図である。
【図６】図６は本発明のさらに他の一実施例に係る基地局の構造ブロック図である。
【図７】図７は本発明のさらに他の一実施例に係る基地局の構造ブロック図である。
【図８】図８は本発明の一実施例に係る端末の構造模式図である。
【図９】図９は本発明の他の一実施例に係る端末の構造模式図である。
【図１０】図１０は本発明のさらに他の一実施例に係る端末の構造模式図である。
【発明を実施するための形態】
【００１６】
以下では本発明の実施例を詳細に説明し、前記実施例の例が図面に示され、終始に同一又は類似する符号が同一又は類似する素子又は同一又は類似の機能を有する素子を示す。以下では図面を参照することにより説明される実施例が例示的で、本発明を解釈することを目的とするものであり、本発明を制限するものとして理解できない。
【００１７】
背景技術の分析から分かるように、関連技術では、端末がアクティブ状態にある時、端末が基地局の指示に従って関連測定を行い、端末がアクセスネットワークシステム内にどの周波数を測定するか、どの近辺を測定するか、又は異なるＲＡＴの測定、いつ測定するか、測定の定量指標等は、基地局によって統合的に構成される。
【００１８】
具体的には、図１（ａ）に示される基地局の端末に対する測定構成過程では、基地局がＤＣＣＨチャネルによりＲＲＣの接続測定構成メッセージを発行し、アクティブ状態における特定の端末に測定構成を提供し、図１（ａ）に示される接続過程では、基地局が端末に送信したＲＲＣＣｏｎｎｅｃｔｉｏｎＲｅｃｏｎｆｉｇｕｒａｔｉｏｎメッセージにおいて、測定構成セルＭｅａｓＣｏｎｆｉｇが含まれ、該セルにより、端末にどのような測定を行うか及び測定構成を測定して報告することを指示する。
【００１９】
さらに、端末が測定を完了した後、図１（ｂ）に示されるように、ＭｅａｓｕｒｅｍｅｎｔＲｅｐｏｒｔメッセージにより、基地局に測定結果を含む測定報告を報告し、メッセージに含まれる主なコンテンツがＭｅａｓＲｅｓｕｌｔｓセルである。
【００２０】
端末が非アクティブ状態に入った後、関連する接続情報をリリースし、例えば、上記測定構成及び関連する測定報告をリリースし、したがって一旦端末の接続回復の要求を受信すると、基地局が端末に対して少なくとも１つのノードの測定構成を再び行う必要があり、すなわち端末の現在の条件に応じて端末が測定を必要とする対象、セルリスト、報告方式、測定識別子、時間パラメータ等の測定構成を生成する必要があり、該生成過程のシグナリングプロセスが長く、端末には送信を必要とする大量のデータがあると、初期遅延が大きい。
【００２１】
実際に、多くの応用シーンでは、端末が再びアクティベーションされた後、この前にそれがアクティブ状態にある時に位置する通信環境と比較的類似し、したがって生成される測定構成が大きい類似性を有し、例えば、端末が終始にある室内に位置すると、端末のモビリティが比較的弱く、端末が再びアクティベーションされて接続状態に入る時、受信された測定構成がこの前に接続状態に位置する時に受信された測定構成と基本的に同一である。
【００２２】
従って、本発明では、端末に関連する少なくとも１つのノードの関連構成を予め記憶し、次回端末が接続から接続状態を回復する時、記憶される少なくとも１つのノードの関連構成に基づいて通信測定を直接的に行い、サービスへ回復する効率を大幅に向上させる。
【００２３】
以下では図面を参照しながら本発明の実施例の非アクティブ状態における多重接続回復方法及びその装置を説明する。
【００２４】
本発明の実施例の非アクティブ状態における多重接続回復方法をより全面的に説明するために、以下の実施例が基地局側及び端末側に集中してそれぞれ説明する。
【００２５】
先ず、基地局側に集中して本発明の実施例の非アクティブ状態における多重接続回復方法を説明し、該基地局が端末と通信可能な任意の基地局であってもよく、本発明の実施例の端末が携帯電話、ウェアラブル装置等の移動通信装置であってもよく、該ウェアラブル装置がスマートブレスレット、スマートウォッチ、スマートグラス等であってもよい。
【００２６】
図２は本発明の一実施例に係る非アクティブ状態における多重接続回復方法のフローチャートである。
【００２７】
図２に示されるように、該非アクティブ状態における多重接続回復方法は、
端末が送信した接続回復要求を受信し、少なくとも１つのノードの構成及び／又は少なくとも１つのノードの測定報告を取得するステップ１０１と、
少なくとも１つのノードの構成及び／又は少なくとも１つのノードの測定報告に基づき、少なくとも１つのノードにおける一部又は全部のノードを端末のセカンダリノードとして追加するステップ１０２と、を含む。
【００２８】
通信原理に基づき、端末が正常な通信サービスを行うことは、キャリア、セル及び基地局等のノードの相関情報を取得する必要があり、それにより基地局が上記ノードの相関情報に基づいて端末を制御し、相対的によい通信条件で通信する。
【００２９】
以上の分析から分かるように、基地局が毎回端末のネットワーク設定状況及び端末能力等に基づき、該端末の測定構成を生成する必要があり、且つ少なくとも１つのノードに対する該該測定構成を端末に送信することは相対的に長い時間がかかる過程である。
【００３０】
該技術的問題を解決するため、本発明の実施例では、端末が非アクティブ状態に入る時、端末がこの前に接続する時の関連ノードの構成を保留し、なお、端末が非アクティブ状態から接続へ回復する効率をさらに向上させるために、本発明の実施例におけるノードの構成が、上記測定構成を指すことだけでなく、ノードの構成がノード周波数、ノードＩＤ、測定構成のうちの少なくとも１つを含んでもよい。
【００３１】
さらに、端末に対応する上記少なくとも１つのノードの構成、例えば、端末のために構成されるプライマリノードの構成、セカンダリノードの構成における少なくとも１つを保留してリリースしないため（プライマリノードがプライマリキャリア、プライマリセル、又は、プライマリ基地局を含み、セカンダリノードがセカンダリキャリア、セカンダリセル、又は、セカンダリ基地局を含む）、端末が次回のアクティブ状態に入る時、基地局の再度生成を必要とせず、保留される少なくとも１つのノードに対する該構成を端末に直接呼び出し、記憶される少なくとも１つのノードに対する構成に基づき、少なくとも１つのノードにおける一部又は全部のノードを端末のセカンダリノードとして直接追加し、通信効率を大幅に向上させる。
【００３２】
実際に実行する過程では、端末の通信環境の変化等のため、端末が非アクティブ状態から接続状態に回復する時、基地局がそれに追加したノードは端末が非アクティブ状態に入る前のものと完全に一致し又は完全に合致していないことが理解されるべきである。
【００３３】
具体的には、基地局は端末が送信した接続回復要求を受信し後、端末のために少なくとも１つのノードにおける一部又は全部のノードを端末のセカンダリノードとして追加する。
【００３４】
例えば、端末が接続状態にｎ回目位置する時（ｎが１以上の正整数である）、基地局がそれに追加したセカンダリノードは１、２及び３であり、端末が非アクティブ状態に入る時、ノード１、２及び３のノード構成を保留するため、端末が接続状態にｎ＋１回目入る時、基地局がそれに追加する可能性があるセカンダリノードは１、２及び３の任意の組み合わせを含み、例えばノード１及び２であってもよく、ノード１である可能性があり、又は、ノードが１、２及び３である可能性がある。
【００３５】
当然、上記の例は端末が接続状態にｎ回目位置する時のセカンダリノードが３であることを例として説明し、実際の応用では、毎回端末に追加するセカンダリノードの個数が応用ニーズによって異なり、例えば１つ等であってもよい。
【００３６】
なお、応用シーンによって、上記実施例では説明される、記憶される少なくとも１つのノードに対する構成に基づいて少なくとも１つのノードにおける一部又は全部のノードを端末のセカンダリノードとして追加することは、異なる実現方式を有してもよく、以下では例を挙げて説明する。
【００３７】
第一例
基地局は端末が非アクティブ状態に入る前に、端末のためにサービスを提供する少なくとも１つのノードの構成のみに基づき、少なくとも１つのノードにおける一部又は全部のノードを端末のセカンダリノードとして追加する。
【００３８】
第二例
基地局は端末が非アクティブ状態に入る前に、端末のためにサービスを提供する少なくとも１つのノードの測定報告のみに基づき、少なくとも１つのノードにおける一部又は全部のノードを端末のセカンダリノードとして追加する。
【００３９】
本例では、端末が前回端末のために接続サービスを提供する時の関連する少なくとも１つのノードの構成を取得した後、基地局に測定報告をフィードバックし、該測定報告のコンテンツが構成に対応し、各ノードの基準信号受信パワー、基準信号受信品質、干渉信号強度及びローディング情報のうちの少なくとも１つを含んでもよく、基地局は測定報告を受信し、端末の少なくとも１つのノードの構成が完了することが分かり、それにより、さらに該測定報告に基づき、少なくとも１つのノードにおける一部又は全部のノードを端末のセカンダリノードとして追加する。
【００４０】
第三例
基地局は端末が非アクティブ状態に入る前に、端末のためにサービスを提供する少なくとも１つのノードの測定報告及び少なくとも１つのノードの構成に基づき、少なくとも１つのノードにおける一部又は全部のノードを端末のセカンダリノードとして追加する。
【００４１】
端末が非アクティブ状態に入る前に端末のためにサービスを提供するノードは複数である時、少なくとも１つのノードにおける一部又は全部のノードを端末のセカンダリノードとして追加し、参照される情報が上記３つの例の各種の組み合わせであってもよい。
【００４２】
例えば、端末は非アクティブ状態に入る前、端末のためにサービスを提供するノードがノードＡ、Ｂ及びＣであると、ノードＡの測定報告、ノードＢの測定構成、ノードＣの測定構成及び測定報告に基づき、関連ノードを端末のセカンダリノードとして追加することができる。
【００４３】
なお、以下、具体的な応用シーンによって、異なる本体装置において少なくとも１つのノードの構成を保留できる。例を挙げて説明する。
【００４４】
第一例では、基地局側で端末に対応する少なくとも１つのノードの構成を保留する。
【００４５】
本例では、基地局側で端末に対応する少なくとも１つのノードの構成を保留するため、端末がアクティブ状態を回復する要求を受信した後、基地局側において対応する構成を直接取得でき、従来技術と比べて、基地局が構成を改めて生成する必要がなく、端末がサービスを提供する回復効率大幅に向上させる。
【００４６】
第二例では、端末側で端末に対応する少なくとも１つのノードの構成を保留する。
【００４７】
本例では、端末が送信した接続回復要求を受信し、接続回復要求を解析して少なくとも１つのノードの構成及び／又は対応する測定報告を取得する。
【００４８】
端末において対応する少なくとも１つのノードの構成を直接取得するため、従来技術と比べて、基地局が構成を生成し且つ端末に送信するステップを省略し、サービス回復の効率を大幅に向上させる。
【００４９】
第三例では、ネットワーク側で端末に対応する少なくとも１つのノードの構成を保留する。
【００５０】
本例では、ネットワーク側で端末に対応する少なくとも１つのノードの構成を保留するため、端末の接続回復要求を受信した後、ネットワーク側において対応する少なくとも１つのノードの構成を直接取得でき、従来技術と比べて、基地局が構成を生成し且つ端末に送信するステップを省略し、サービス回復の効率を大幅に向上させる。
【００５１】
第四例では、複数の側において端末に対応する少なくとも１つのノードの構成を保留する。
【００５２】
本例では、少なくとも１つのノードの構成を一側に記憶する時の誤った削除又は予期しない情報カバレッジ等の原因による少なくとも１つのノードの構成の紛失を回避するために、複数の側で端末に対応する少なくとも１つのノードの構成を保留できる。
【００５３】
例えば、端末及び基地局側でいずれも端末に対応する少なくとも１つのノードの構成を保留し、又は、端末及びネットワーク側でいずれも端末に対応する少なくとも１つのノードの構成を保留し、又は、ネットワーク及び基地局側でいずれも端末に対応する少なくとも１つのノードの構成を保留し、又は、ネットワーク、端末及び基地局側でいずれも端末に対応する少なくとも１つのノードの構成を保留する。
【００５４】
上記４つの例に示される保留方式に対して、具体的にどの側の本体装置において対応する少なくとも１つのノードの構成を保留するかは、具体的な応用ニーズによって、主動及び受動の２つの方式で決定されてもよい。
【００５５】
可能な実現方式として、対応する少なくとも１つのノードの構成を保留する本体装置を主動的に決定できる。
【００５６】
第一例では、端末が少なくとも１つのノードの構成を保留する本体装置であると指定すると、端末に非アクティブ状態入り指示を送信でき、指示が端末が前記少なくとも１つのノードの構成を保留するという指示を含む。
【００５７】
第二例では、基地局側が少なくとも１つのノードの構成を保留する本体装置であると指定すると、生成される少なくとも１つのノードの構成を記憶できる。
【００５８】
第三例では、ネットワーク側が少なくとも１つのノードの構成を保留する本体装置であると指定する。端末が非アクティブ状態に入った後、ネットワーク側が基地局又は端末から対応する少なくとも１つのノードの構成を取得し且つ保留する。
【００５９】
複数の側本体装置が対応するものを保留する測定装置であると指定する実施形態は、上記３つの例を参照でき、ここで説明を省略する。
【００６０】
他の可能な実現方式として、対応する少なくとも１つのノードの構成を保留する本体装置を受動的に決定できる。
【００６１】
本例では、あるシーンでは、端末、ネットワーク又は基地局が構成保留に適さず、例えば端末の空きメモリが比較的少なく、及び基地局の現在のローディングが比較的大きい等の可能性があり、この時、本体装置を強制的に指定することは明らかに不適切であり、従って、端末又は基地局等の具体的な状況に基づいて関連構成を保留する本体装置を決定できることが考えられる。
【００６２】
例として、端末が報告した装置情報、例えば端末の現在の空きメモリ、ＣＰＵ実行速度等を取得し、それにより装置情報に基づいて少なくとも１つのノードの少なくとも１つのノードの構成を保留する本体装置を決定し、現在の端末の空きメモリが比較的小さいと、基地局が関連構成を保留する本体装置であると決定し、それにより、端末がアクティブ状態を回復する時、対応する本体装置から少なくとも１つのノードの構成を取得する。
【００６３】
実際の実行過程では、端末が多重接続状態に位置すると、対応する測定報告を受信するのがプライマリノードであるかセカンダリノードであるかにも拘らず、いずれも少なくとも１つのノードの構成及び／又は少なくとも１つのノードの測定報告に基づき、少なくとも１つのノードにおける一部又は全部のノードを前記端末のセカンダリノードとして追加できる。
【００６４】
本発明の一実施例では、プライマリノードが少なくとも１つのノードの構成に対応する測定報告を取得すると、該測定報告に基づいて端末のためにセカンダリノード接続を構成し、且つ対応するセカンダリノードに通知する。
【００６５】
本発明の一実施例では、セカンダリノードが少なくとも１つのノードの構成に対応する測定報告を取得すると、測定報告のコンテンツに基づき、端末との間のセカンダリノード接続を回復する。
【００６６】
さらに、上記実施例に基づき、本発明の実施例の端末がサービスレベルに迅速に回復できる効果をより明らかに説明するために、対応する少なくとも１つのノードの構成を保留するものがそれぞれ異なる本体装置であることを例として説明する。
【００６７】
例として、端末が少なくとも１つのノードの構成を保留する。
【００６８】
本例では、端末が送信した接続回復要求を受信し、接続回復要求を解析し、少なくとも１つのノードの構成を取得し、少なくとも１つのノードの構成に基づき、少なくとも１つのノードにおける一部又は全部のノードを端末のセカンダリノードとして追加する。
【００６９】
又は、
端末が送信した接続回復要求を受信し、接続回復要求を解析して少なくとも１つのノードの構成に対応する測定報告を取得し、少なくとも１つのノードの構成に対応する測定報告に基づいて少なくとも１つのノードにおける一部又は全部のノードを端末のセカンダリノードとして追加する。
【００７０】
又は、
端末が送信した接続回復要求を受信し、接続回復要求を解析し、端末が送信した接続回復要求を解析して少なくとも１つのノードの構成に対応する測定報告を取得し、少なくとも１つのノードの構成及び対応する測定報告に基づいて少なくとも１つのノードにおける一部又は全部のノードを端末のセカンダリノードとして追加する。
【００７１】
他の例として、基地局が少なくとも１つのノードの構成を保留する。
【００７２】
本例では、端末が送信した接続回復要求を受信し、基地局から少なくとも１つのノードの構成を取得し、少なくとも１つのノードの構成に基づいて一部又は全部のノードを端末のセカンダリノードとして追加する。
【００７３】
又は、
端末が送信した接続回復要求を受信し、接続回復要求を解析して少なくとも１つのノードの構成に対応する測定報告を取得し、少なくとも１つのノードの構成に対応する測定報告に基づいて少なくとも１つのノードにおける一部又は全部のノードを端末のセカンダリノードとして追加する。
【００７４】
又は、
基地局から少なくとも１つのノードの構成を取得し、端末が送信した接続回復要求を解析して少なくとも１つのノードの構成に対応する測定報告を取得し、少なくとも１つのノードの構成及び対応する測定報告に基づいて少なくとも１つのノードにおける一部又は全部のノードを端末のセカンダリノードとして追加する。
【００７５】
さらに他の例として、端末及び基地局がいずれも少なくとも１つのノードの構成を保留する。
【００７６】
本例では、端末が送信した接続回復要求を受信し、基地局から少なくとも１つのノードの構成を取得し、少なくとも１つのノードの構成に基づいて一部又は全部のノードを端末のセカンダリノードとして追加する。
【００７７】
又は、
端末が送信した接続回復要求を受信し、接続回復要求を解析して少なくとも１つのノードの構成を取得し、少なくとも１つのノードの構成に基づいて一部又は全部のノードを端末のセカンダリノードとして追加する。
【００７８】
又は、
端末が送信した接続回復要求を受信し、接続回復要求を解析して少なくとも１つのノードの構成に対応する測定報告を取得し、少なくとも１つのノードの構成に対応する測定報告に基づいて少なくとも１つのノードにおける一部又は全部のノードを端末のセカンダリノードとして追加する。
【００７９】
又は、
基地局から少なくとも１つのノードの構成を取得し、端末が送信した接続回復要求を解析して少なくとも１つのノードの構成に対応する測定報告を取得し、少なくとも１つのノードの構成及び対応する測定報告に基づいて少なくとも１つのノードにおける一部又は全部のノードを端末のセカンダリノードとして追加する。
【００８０】
又は、
端末が送信した接続回復要求を解析して少なくとも１つのノード構成及び少なくとも１つの測定構成に対応する測定報告を取得し、少なくとも１つのノードの構成及び対応する測定報告に基づいて少なくとも１つのノードにおける一部又は全部のノードを端末のセカンダリノードとして追加する。
【００８１】
それにより、本発明の実施例では、端末が送信した接続回復要求を受信し後、少なくとも１つのノードの構成を保留する本体装置から対応する少なくとも１つのノードの構成を取得し、異なる本体装置に記憶される少なくとも１つのノードの構成を呼び出し、それにより、少なくとも１つのノードの構成及び／又は少なくとも１つのノードの構成に対応する測定報告に基づいて、端末の多重接続状態を回復し、柔軟性が比較的高く、さらに端末が関連サービスを迅速に回復できることを確保しやすい。
【００８２】
本発明の実施例の非アクティブ状態における多重接続回復方法は、端末が送信した接続回復要求を受信し、少なくとも１つのノードの構成及び／又は少なくとも１つのノードの測定報告を取得し、少なくとも１つのノードの構成及び／又は少なくとも１つのノードの測定報告に基づき、少なくとも１つのノードにおける一部又は全部のノードを端末のセカンダリノードとして追加する。端末が非アクティブ状態に入った後、必要がある時に多重接続状態をできるだけ早めに回復できることを実現し、端末がサービスレベルに迅速に回復できることを確保する。
【００８３】
次に、端末側に集中して本発明の実施例の非アクティブ状態における多重接続回復方法を説明する。
【００８４】
図３は本発明の他の一実施例に係る非アクティブ状態における多重接続回復方法のフローチャートであり、図３に示されるように、該方法は、
基地局に接続回復要求を送信するステップ２０１と、
基地局に基づいて少なくとも１つのノードから一部又は全部のノードを端末のセカンダリノードとして選択するステップ２０２と、を含む。
【００８５】
具体的には、端末のサービスの回復を実現するために、端末が基地局に接続回復要求を送信し、基地局に基づいて少なくとも１つのノードから一部又は全部のノードを端末のセカンダリノードとして選択する。
【００８６】
実現方式として、基地局に少なくとも１つのノードの構成を送信し、基地局が少なくとも１つのノードの構成に基づき、少なくとも１つのノードから一部又は全部のノードを端末のセカンダリノードとして選択する。
【００８７】
他の実現方式として、基地局に少なくとも１つのノードの測定報告を送信し、基地局が少なくとも１つのノードの測定報告に基づき、少なくとも１つのノードから一部又は全部のノードを端末のセカンダリノードとして選択する。
【００８８】
さらに他の実現方式として、基地局に少なくとも１つのノードの測定報告及び少なくとも１つのノードの構成を送信し、基地局が少なくとも１つのノードの測定報告及び少なくとも１つのノードの構成に基づき、少なくとも１つのノードから一部又は全部のノードを端末のセカンダリノードとして選択する。
【００８９】
実際の実行過程では、基地局に接続回復要求を送信する時、端末が現在のサービスニーズ等に基づいてそれが接続しようとするセカンダリノードを指定してもよく、指定しなくてもよい。
【００９０】
第一例では、端末が接続を回復した後に接続するセカンダリノードを指定しない。
【００９１】
本例では、基地局が少なくとも１つのノードの構成及び／又は少なくとも１つのノードの測定報告に基づき、端末のために一部又は全部のノードを端末のセカンダリノードとして選択し、該選択は基地局が測定報告に基づいて端末に関連サービスサービスを主動的に提供して選択される。
【００９２】
例をとして、少なくとも１つのノードがノード１、２及び３を含む時、基地局が少なくとも１つのノードの構成及び／又は少なくとも１つのノードの測定報告に基づき、端末のために全部のノード１、２及び３を端末のセカンダリノードとして選択し、それにより、端末が選択された全部のノードに基づいて関連サービスを正常に提供でき、又は、基地局は少なくとも１つのノードの構成及び／又は少なくとも１つのノードの測定報告に基づき、さらに端末が提供したサービスサービスに基づき、端末のために全部のノードにおけるノード１及び２を端末のセカンダリノードとして選択する。
【００９３】
第二例では、端末が接続を回復した後に接続するセカンダリノードを指定する。
【００９４】
本例では、基地局にセカンダリノード回復要求を送信し、要求が少なくとも１つのノードの構成及び／又は少なくとも１つのノードの測定報告を含み、基地局が少なくとも１つのノードの構成及び／又は少なくとも１つのノードの測定報告に基づいて端末のためにセカンダリノードとして保留した構成を受信し、それにより、関連セカンダリノードを端末が接続を回復した後のセカンダリノードとして構成できる。
【００９５】
例をとして、基地局にセカンダリノード１及び２の回復要求を送信し、要求が少なくとも１つのノードの構成及び／又は少なくとも１つのノードの測定報告を含み、基地局が少なくとも１つのノードの構成及び／又は少なくとも１つのノードの測定報告に基づき、端末のためにセカンダリノード１及び２の構成を保留し、それにより、セカンダリノード１及び２は端末が接続を回復した後のセカンダリノードとして関連サービスを提供する。
【００９６】
なお、上記２つの例は、利便性のためだけに、予め保留されるこの前の端末のためのノード構成に基づき、現在の端末のためにセカンダリノードの構成を行い、実際の実行過程では、基地局が端末のために追加したセカンダリノードのうち、この前に端末にサービスを提供する少なくとも１つのノードに加え、さらに他のノードを含んでもよく、例えば、上記例２では、基地局が端末の通信のために追加したセカンダリノードは、上記セカンダリノード１及び２に加え、さらにノード４等を含んでもよく、ノード４がこの前の端末のための少なくとも１つのノードの１つに属しない。
【００９７】
なお、端末の接続状態をより迅速に回復するために、少なくとも１つのノードの構成を予め保留できる。
【００９８】
以下、具体的な応用ニーズによって、異なる本体装置に端末に対応する少なくとも１つのノードの構成を保留できることは、例を挙げて説明する。
【００９９】
第一例では、端末側で少なくとも１つのノードの構成を保留する。
【０１００】
第二例では、基地局側で端末に対応する少なくとも１つのノードの構成を保留する。
【０１０１】
第三例では、複数の側で端末に対応する少なくとも１つのノードの構成を保留する。
【０１０２】
本例では、端末及び基地局側でいずれも端末に対応する少なくとも１つのノードの構成を保留でき、又は、端末及びネットワーク側でいずれも端末に対応する少なくとも１つのノードの構成を保留し、又は、ネットワーク及び基地局側でいずれも端末に対応する少なくとも１つのノードの構成を保留し、又は、ネットワーク、端末及び基地局側でいずれも端末に対応する少なくとも１つのノードの構成を保留する。
【０１０３】
上記例に示される保留方式に対して、具体的にどの側の本体装置において対応する少なくとも１つのノードの構成を保留するかは、具体的な応用ニーズによって、主動及び受動の２つの方式で決定されてもよい。
【０１０４】
可能な実現方式として、対応する少なくとも１つのノードの構成を保留する本体装置を主動的に決定できる。
【０１０５】
本例では、端末が少なくとも１つのノードの構成を保留する本体装置であると指定すると、基地局が送信した非アクティブ状態入り指示を受信し、指示は端末が前記端末に対応する少なくとも１つのノードの構成を保留するという指示を含む。
【０１０６】
他の可能な実現方式として、対応する少なくとも１つのノードの構成を保留する本体装置を受動的に決定できる。本例では、次のシーンでは、端末、ネットワーク又は基地局が構成保留に適さず、例えば端末の空きメモリが比較的少なく、及び基地局の現在のローディングが比較的大きい等の可能性があり、この時、本体装置を強制的に指定することが明らかに不適切であり、従って、端末又は基地局等の具体的な状況に基づいて関連構成を保留する本体装置を決定できる。
【０１０７】
なお、上記した基地局側に集中して説明された非アクティブ状態における多重接続回復方法は、端末側に集中して説明された非アクティブ状態における多重接続回復方法に対応し、端末側に集中して説明された実施例に示されていない細部については、ここで説明を省略する。
【０１０８】
以上のように、本発明の実施例の非アクティブ状態における多重接続回復方法は、基地局に接続回復要求を送信し、基地局に基づいて少なくとも１つのノードから一部又は全部のノードを端末のセカンダリノードとして選択する。それにより、端末が非アクティブ状態に入った後、必要がある時に多重接続状態をできるだけ早めに回復できることを実現し、端末がサービスレベルに迅速に回復できることを確保する。
【０１０９】
上記実施例を実現するために、本発明はさらに基地局を提案し、図４は本発明の一実施例に係る基地局の構造ブロック図である。図４に示されるように、該基地局が第一受信モジュール１１０、第一取得モジュール１２０及び追加モジュール１３０を含む。
【０１１０】
第一受信モジュール１１０は端末が送信した接続回復要求を受信することに用いられる。
【０１１１】
第一取得モジュール１２０は、少なくとも１つのノードの構成及び／又は少なくとも１つのノードの測定報告を取得することに用いられる。
【０１１２】
追加モジュール１３０は、少なくとも１つのノードの構成及び／又は少なくとも１つのノードの測定報告に基づき、少なくとも１つのノードにおける一部又は全部のノードを端末のセカンダリノードとして追加することに用いられる。
【０１１３】
本発明の一実施例では、追加モジュール１３０がプライマリノードにおいて前記少なくとも１つのノードの構成に対応する測定報告を取得する時、前記端末のためにセカンダリノード接続を構成し、且つ対応するセカンダリノードに通知する。
【０１１４】
本発明の一実施例では、追加モジュール１３０がセカンダリノードにおいて少なくとも１つのノードの構成に対応する測定報告を取得する時、端末との間のセカンダリノード接続を回復する。
【０１１５】
理解できるように、図５に示されるように、図４に示されるものを基礎として、該基地局はさらに、端末が非アクティブ状態に入る時、端末に対応する少なくとも１つのノードの構成を保留するための第一保留モジュール１４０を含む。
【０１１６】
具体的な応用シーンにより、第一保留モジュール１４０が異なる位置において端末に対応する少なくとも１つのノードの構成を保留でき、以下では例を挙げて説明する。
【０１１７】
第一例
第一保留モジュール１４０が基地局側で端末に対応する少なくとも１つのノードの構成を保留する。
【０１１８】
第二例
第一保留モジュール１４０が端末側で端末に対応する少なくとも１つのノードの構成を保留する。
【０１１９】
第三例
第一保留モジュール１４０がネットワーク側で端末に対応する少なくとも１つのノードの構成を保留する。
【０１２０】
本発明の一実施例では、図６に示されるように、図５に示されるものを基礎として、該基地局はさらに、前記端末に非アクティブ状態入り指示を送信するための第一送信モジュール１５０を含み、前記指示は前記端末が前記少なくとも１つのノードの構成を保留するという指示を含み、すなわち本例では、基地局は端末に少なくとも１つのノードの構成を保留することを主動的に指示できる。
【０１２１】
少なくとも１つのノードの構成がノード周波数、ノードＩＤ、測定構成のうちの少なくとも１つを含み、測定報告が各ノードの基準信号受信パワー、基準信号受信品質、干渉信号強度、及びローディング情報のうちの１つ又は複数種を含む。
【０１２２】
発明の一実施例では、図７に示されるように、図５に示されるものを基礎として、該基地局はさらに、端末に対応する少なくとも１つのノードの構成を保留する前、端末のためにプライマリノードの少なくとも１つのノードの構成、及び／又はセカンダリノードの少なくとも１つのノードの構成を構成するための構成モジュール１６０を含む。
【０１２３】
プライマリノードがプライマリキャリア、プライマリセル、又は、プライマリ基地局を含み、セカンダリノードがセカンダリキャリア、セカンダリセル、又は、セカンダリ基地局を含む。
【０１２４】
少なくとも１つのノードの構成を保留する本体装置によって、異なる方式で端末の多重接続状態の回復を行うことができる。
【０１２５】
例として、端末が少なくとも１つのノードの構成を保留する時、第一取得モジュール１２０は、受信モジュール１１０が受信した、端末が送信した接続回復要求に基づき、接続回復要求を解析して少なくとも１つのノードの構成及び／又は対応する測定報告を取得することに用いられる。
【０１２６】
例として、基地局が少なくとも１つのノードの構成を保留する。
【０１２７】
本例では、第一取得モジュール１２０が基地局から少なくとも１つのノードの構成を取得し、追加モジュール１３０が少なくとも１つのノードの構成に基づいて一部又は全部のノードを端末のセカンダリノードとして追加する。
【０１２８】
又は、
第一受信モジュール１１０は端末が送信した接続回復要求を受信し、第一取得モジュール１２０が接続回復要求を解析して少なくとも１つのノードの構成に対応する測定報告を取得し、追加モジュール１３０が少なくとも１つのノードの構成に対応する測定報告に基づいて少なくとも１つのノードにおける一部又は全部のノードを端末のセカンダリノードとして追加する。
【０１２９】
又は、第一取得モジュール１２０が基地局から少なくとも１つのノードの構成を取得し、端末が送信した接続回復要求を解析して少なくとも１つのノードの構成に対応する測定報告を取得し、追加モジュール１３０が少なくとも１つのノードの構成及び対応する測定報告に基づいて少なくとも１つのノードにおける一部又は全部のノードを端末のセカンダリノードとして追加する。
【０１３０】
なお、上記した基地局側に集中する非アクティブ状態における多重接続回復方法の実施例に対する解釈及び説明も該実施例の基地局に適し、その実現原理と技術的効果が類似し、ここで説明を省略する。
【０１３１】
上記実施例を実現するために、本発明はさらに端末を提供し、図８は本発明の一実施例に係る端末の構造模式図であり、図８に示されるように、該端末が第二送信モジュール２１０及び処理モジュール２２０を含む。
【０１３２】
第二送信モジュール２１０が基地局に接続回復要求を送信することに用いられる。
【０１３３】
処理モジュール２２０が基地局に基づいて少なくとも１つのノードから一部又は全部のノードを前記端末のセカンダリノードとして選択することに用いられる。
【０１３４】
実際の実行過程では、第二送信モジュール２１０が基地局に少なくとも１つのノードの構成及び／又は少なくとも１つのノードの測定報告を送信する。
【０１３５】
理解できるように、本発明の一実施例では、図９に示されるように、図８に示されるものを基礎として、該端末がさらに第二受信モジュール２３０を含み、本実施例では、第二受信モジュール２３０は、基地局が送信した非アクティブ状態入り指示を受信することに用いられ、指示は端末が前記端末に対応する少なくとも１つのノードの構成を保留するという指示を含む。
【０１３６】
なお、端末がサービスニーズに応じてそのサービスを回復するセカンダリノードを指定でき、図１０に示されるように、図８に示されるものを基礎として、該端末がさらに第三受信モジュール２４０を含み、本実施例では、第二送信モジュール２１０が更に基地局にセカンダリノード回復要求を送信することに用いられ、要求が少なくとも１つのノードの構成及び／又は少なくとも１つのノードの測定報告を含み、さらに、第三受信モジュール２４０は、前記基地局が送信した端末のセカンダリノードの構成を受信することに用いられる。
【０１３７】
なお、上記した端末側に集中する非アクティブ状態における多重接続回復方法の実施例に対する解釈及び説明も該実施例の端末に適し、その実現原理と技術的効果が類似し、ここで説明を省略する。
【０１３８】
上記実施例を実現するために、本発明はさらに非一時的コンピュータ読み取り可能な記憶媒体を提供し、それにコンピュータプログラムが記憶され、該コンピュータプログラムがプロセッサに実行される時に上記実施例のような基地局側に集中する前記非アクティブ状態における多重接続回復方法を実現し、該非アクティブ状態における多重接続回復方法の説明については、上記実施例の説明を参照でき、ここで説明を省略する。
【０１３９】
上記実施例を実現するために、本発明はさらに非一時的コンピュータ読み取り可能な記憶媒体を提供し、それにコンピュータプログラムが記憶され、該コンピュータプログラムがプロセッサに実行される時に上記実施例のような端末側に集中する前記非アクティブ状態における多重接続回復方法を実現し、該非アクティブ状態における多重接続回復方法の説明については、上記実施例の説明を参照でき、ここで説明を省略する。
【０１４０】
本明細書の説明では、参照用語“一実施例”、“ある実施例”、“例”、“具体的な例”、又は“ある例”等の説明とは、該実施例又は例を参照しながら説明された具体的な特徴、構造、材料又は特点が本発明の少なくとも１つの実施例又は例に含まれることを意味する。本明細書では、上記用語に対する模式的な説明は必ず同一な実施例又は例に対するものではない。且つ、説明された具体的な特徴、構造、材料又は特徴はいずれか又は少なくとも１つの実施例又は例において適切な方式で結合できる。また、相互に矛盾がない場合、当業者は本明細書に説明された異なる実施例又は例及び異なる実施例又は例の特徴を結合し及び組み合わせることができる。
【０１４１】
以上ではすでに本発明の実施例を示し及び説明したが、理解できるように、上記実施例が例的なものであり、本発明を制限するものではなく、当業者は本発明の範囲では上記実施例に対して変更、改定、置換及び変形を行うことができる。
【図１（ａ）】
2020532155.tif 000003
【図１（ｂ）】
2020532155.tif 000004
【図２】
2020532155.tif 000005
【図３】
2020532155.tif 000006
【図４】
2020532155.tif 000007
【図５】
2020532155.tif 000008
【図６】
2020532155.tif 000009
【図７】
2020532155.tif 000010
【図８】
2020532155.tif 000011
【図９】
2020532155.tif 000012
【図１０】
2020532155.tif 000013
【手続補正書】
【提出日】令和2年6月22日(2020.6.22)
【手続補正１】
【補正対象書類名】明細書
【補正対象項目名】０００６
【補正方法】変更
【補正の内容】
【０００６】
第一態様では、本発明の実施例に係る非アクティブ状態における多重接続回復方法は、端末が送信した接続回復要求を受信し、少なくとも１つのノードの構成及び／又は前記少なくとも１つのノードの測定報告を取得することと、前記少なくとも１つのノードの構成及び／又は前記少なくとも１つのノードの測定報告に基づき、前記少なくとも１つのノードにおける一部又は全部のノードを前記端末のセカンダリノードとして追加することと、含む。
【手続補正２】
【補正対象書類名】明細書
【補正対象項目名】０００７
【補正方法】変更
【補正の内容】
【０００７】
第二態様では、本発明の他の実施例に係る非アクティブ状態における多重接続回復方法は、基地局に接続回復要求を送信することと、前記基地局に基づいて少なくとも１つのノードから一部又は全部のノードを前記端末のセカンダリノードとして選択することと、含む。
【手続補正３】
【補正対象書類名】明細書
【補正対象項目名】０１２５
【補正方法】変更
【補正の内容】
【０１２５】
例として、端末が少なくとも１つのノードの構成を保留する時、第一取得モジュール１２０は、第一受信モジュール１１０が受信した、端末が送信した接続回復要求に基づき、接続回復要求を解析して少なくとも１つのノードの構成及び／又は対応する測定報告を取得することに用いられる。
【手続補正４】
【補正対象書類名】特許請求の範囲
【補正対象項目名】全文
【補正方法】変更
【補正の内容】
【特許請求の範囲】
【請求項１】
非アクティブ状態における多重接続回復方法であって、
端末が送信した接続回復要求を受信し、少なくとも１つのノードの構成及び／又は前記少なくとも１つのノードの測定報告を取得することと、
前記少なくとも１つのノードの構成及び／又は前記少なくとも１つのノードの測定報告に基づき、前記少なくとも１つのノードにおける一部又は全部のノードを前記端末のセカンダリノードとして追加することと、含むことを特徴とする非アクティブ状態における多重接続回復方法。
【請求項２】
さらに、前記端末が非アクティブ状態に入る時、前記端末に対応する少なくとも１つのノードの構成を保留することを含むことを特徴とする請求項１に記載の方法。
【請求項３】
さらに、前記端末のためにプライマリノードの構成及び／又はセカンダリノードの構成を構成することを含み、
前記プライマリノードがプライマリキャリア、プライマリセル、又は、プライマリ基地局を含み、
前記セカンダリノードがセカンダリキャリア、セカンダリセル、又は、セカンダリ基地局を含むことを特徴とする請求項２に記載の方法。
【請求項４】
前記端末に対応する少なくとも１つのノードの構成を保留することは、
基地局側において前記端末に対応する少なくとも１つのノードの構成を保留することを含むことを特徴とする請求項２に記載の方法。
【請求項５】
前記端末に対応する少なくとも１つのノードの構成を保留することは、
前記端末に非アクティブ状態入り指示を送信し、前記指示は前記端末が前記少なくとも１つのノードの構成を保留するという指示を含むこと、を含むことを特徴とする請求項２に記載の方法。
【請求項６】
非アクティブ状態における多重接続回復方法であって、
基地局に接続回復要求を送信することと、
前記基地局に基づいて少なくとも１つのノードから一部又は全部のノードを前記端末のセカンダリノードとして選択することと、を含むことを特徴とする非アクティブ状態における多重接続回復方法。
【請求項７】
さらに、前記基地局に少なくとも１つのノードの構成及び／又は前記少なくとも１つのノードの測定報告を送信することを含むことを特徴とする請求項６に記載の方法。
【請求項８】
基地局であって、
端末が送信した接続回復要求を受信するための第一受信モジュールと、
少なくとも１つのノードの構成及び／又は前記少なくとも１つのノードの測定報告を取得するための第一取得モジュールと、
前記少なくとも１つのノードの構成及び／又は前記少なくとも１つのノードの測定報告に基づき、前記少なくとも１つのノードにおける一部又は全部のノードを前記端末のセカンダリノードとして追加するための追加モジュールと、含むことを特徴とする基地局。
【請求項９】
前記少なくとも１つのノードの構成がノード周波数、ノードＩＤ、測定構成のうちの少なくとも１つを含み、
前記測定報告が各ノードの基準信号受信パワー、基準信号受信品質、干渉信号強度及びローディング情報のうちの少なくとも１つを含むことを特徴とする請求項８に記載の基地局。
【請求項１０】
前記端末が前記少なくとも１つのノードの構成を保留し、
前記第一取得モジュールが、受信された前記端末が送信した接続回復要求に基づき、前記接続回復要求を解析して前記少なくとも１つのノードの構成及び／又は対応する測定報告を取得することに用いられることを特徴とする請求項８に記載の基地局。
【請求項１１】
前記基地局がいずれも前記少なくとも１つのノードの構成を保留し、
前記第一取得モジュールが前記基地局から前記少なくとも１つのノードの構成を取得することに用いられ、
前記追加モジュールが、前記少なくとも１つのノードの構成に基づいて一部又は全部のノードを前記端末のセカンダリノードとして追加することに用いられ、
又は、
前記第一受信モジュールが、前記端末が送信した接続回復要求を受信することに用いられ、
前記第一取得モジュールが、前記接続回復要求を解析して前記少なくとも１つのノード的構成に対応する測定報告を取得することに用いられ、
前記追加モジュールが、前記少なくとも１つのノードの構成に対応する測定報告に基づいて、前記少なくとも１つのノードにおける一部又は全部のノードを前記端末のセカンダリノードとして追加することに用いられ、
又は、
前記第一取得モジュールが、前記基地局から前記少なくとも１つのノードの構成を取得し、前記端末が送信した接続回復要求を解析して前記少なくとも１つのノードの構成に対応する測定報告を取得することに用いられ、
前記追加モジュールが、前記少なくとも１つのノードの構成及び対応する測定報告に基づいて、前記少なくとも１つのノードにおける一部又は全部のノードを前記端末のセカンダリノードとして追加することに用いられることを特徴とする請求項８に記載の基地局。
【請求項１２】
前記追加モジュールはさらに、プライマリノードが前記少なくとも１つのノードの構成に対応する測定報告を取得する時、前記端末のためにセカンダリノード接続を構成し、且つ対応するセカンダリノードに通知することに用いられ、或いは、
前記追加モジュールはさらに、セカンダリノードが前記少なくとも１つのノードの構成に対応する測定報告を取得する時、前記端末との間のセカンダリノード接続を回復することに用いられることを特徴とする請求項８に記載の基地局。
【請求項１３】
端末であって、
基地局に接続回復要求を送信するための第二送信モジュールと、
前記基地局に基づいて少なくとも１つのノードから一部又は全部のノードを前記端末のセカンダリノードとして選択するための処理モジュールと、を含むことを特徴とする端末。
【請求項１４】
さらに、前記基地局が送信した非アクティブ状態入り指示を受信することに用いられ、前記指示は前記端末が前記端末に対応する少なくとも１つのノードの構成を保留するという指示を含む第二受信モジュールを含むことを特徴とする請求項１３に記載の端末。
【請求項１５】
前記第二送信モジュールがさらに、前記基地局にセカンダリノード回復要求を送信することに用いられ、前記セカンダリノード回復要求が少なくとも１つのノードの構成及び／又は前記少なくとも１つのノードの測定報告を含み、
前記端末は第三受信モジュールを更に含み、前記第三受信モジュールが、前記基地局が送信した前記端末のセカンダリノードの構成を受信することに用いられることを特徴とする請求項１３に記載の端末。
【国際調査報告】
2020532155.tif 000014
2020532155.tif 000015
2020532155.tif 000016
2020532155.tif 000017